(57)【特許請求の範囲】
【請求項１】
基地局からの下り信号を受信する受信部と、この受信部の出力を通信信号と制御信号とに分ける信号復調部と、上記通信信号に含まれる音声出力信号に基づいて音声を出力する受話器と、上記信号復調部からの制御信号が供給される制御部と、音声を音声入力信号に変換する送話器と、上記音声入力信号の符号変調処理を行う信号変調部と、この信号変調部の出力を増幅及び変調してアンテナから上り信号として送出する送信部を備え、上記下り信号の品質低下の表示または警報を発生する機能を有する携帯端末装置において、上記下り信号は上記上り信号の強度を制御する強度制御信号を含み、上記制御部は上記受信部が上記下り信号を正常に受信しているときに、上記上り信号の強度を最大値とさせる指令を含む上記強度制御信号が予め定められた時間以上続いたときまたは予め定められた時間率以上続いたときに、上記下り信号の品質低下の表示または警報とは異なる表示または警報を発生するよう構成されたことを特徴とする携帯端末装置。
【請求項２】
基地局と携帯端末装置間の双方向無線通信において下り信号の強度が正常な範囲であるにもかかわらず上り信号が基地局に到達しないと見なされる場合のアラーム発生方法であって、
上記携帯端末装置は上記下り信号の品質低下の表示または警報を発生する機能を有し、上記下り信号に含まれて上記基地局から送信される強度制御信号を受信し、上記受信部が上記下り信号を正常に受信しているかを判断し、上記下り信号が正常に受信されているときに上記強度制御信号に上記上り信号の強度を最大値とさせる信号が含まれるか判断し、上記上り信号の強度を最大値とさせる信号が含まれるときにこの信号強度を最大値とさせる信号の時間を計測し、計測された時間が予め定められた時間以上続いたときまたは予め定められた時間率以上続いたときに上記下り信号の品質低下の表示または警報とは異なる表示または警報を発生することを特徴とする携帯端末装置のアラーム発生方法。
【発明の詳細な説明】
【０００１】
【発明の属する技術分野】
本発明は、携帯端末装置に係り、特に下り信号が正常に受信できるにもかかわらず上り信号だけが基地局に到達しない場合におけるアラーム発生に好適な携帯端末装置に関するものである。
【０００２】
【従来の技術】
従来の携帯電話では、通話中に電波の受信状態が悪くなり、回線が切れそうになったときアラーム（警告音）を鳴らすような工夫がなされていた。これは、受信電波の電界強度やディジタル方式の場合では受信信号のエラーレートを指標にして、安定な受信および復調が困難とみなされる場合に、アラームを鳴らすようにしたものであり、下り回線通話品質に関するアラームである。
【０００３】
また、特開平８−３３５９０４号公報には、装置自体の故障により、信号の送信電力が所定の基準レベル以上である状態が所定の基準時間以上続いたときに異常検出信号を検出して警告を発するものが開示されている。
【０００４】
【発明が解決しようとする課題】
従来の携帯電話の通信状態に関するアラームは、下り回線通話品質アラームであり、上り回線通話品質アラームについては何ら考慮されていなかった。
【０００５】
また、特開平８−３３５９０４号に開示されたものは、装置自体の故障による異常を検出してアラームを出すものであり、回線の通話品質劣化に対しては対応できない。
【０００６】
本発明の目的は、下り回線が正常であるにもかかわらず、上り回線通話品質が低下した場合に警報を発生することにより、携帯端末装置の使用者に自分が使用している携帯端末装置の発した信号が基地局に届いていないことを早急に知らしめることができ、使用者の利便性に優れた携帯端末装置を提供することにある。
【０００７】
【課題を解決するための手段】
課題を解決するための手段は特許請求の範囲に記載されている。本発明では、受信が正常に行われているにもかかわらず、送信信号を最大送信出力とすることが要求された場合は、送信信号が相手に届かない状態であるおそれがあり、この場合に表示または警報の少なくともいずれか一方を発生するので、使用者は自分が使用している携帯端末装置の発した信号が相手に到達していないことを素早く知ることができる。
【０００８】
【発明の実施の形態】
以下、本発明の第１の実施の形態を図１〜図３及び図７により説明する。本実施の形態は、携帯端末装置としての携帯電話装置に本発明を適用したものである。本実施の形態における携帯電話装置の回路構成を図１に、外観を図７示す。
【０００９】
本実施の形態の携帯電話装置は、基地局（図示せず）からの下り信号を受信部２で受信し、基地局へ上り信号を送信部３から送出するよう構成されており、基地局との間で双方向通信が可能である。基地局からの下り信号はアンテナ１で受けられ、受信部２で増幅・復調される。受信部２の出力は信号処理部７内の信号復調部４に供給される。信号処理部７は信号復調部７に加えて制御部６、信号変調部５を有している。信号復調部４は受信部２の出力を通信信号と制御信号とに分ける。すなわち、受信信号はＣＤＭＡ信号復調部４でデジタル信号に変換され、逆拡散および符号復調された後、通信信号としての音声（データ）信号と制御信号に分けられる。制御信号は制御部６に供給され、制御部６は制御信号に基づいて携帯電話の動作を制御する。音声信号はアナログ信号に変換され受話器８より出力される。データ信号の場合は表示部１１により表示したり、外部インタフェース１３を介して、外部に接続されている外部機器２１があればそれらに送られる。具体的な外部機器２１の例としては、パーソナルコンピュータ、情報端末機器またはテレメータシステムのようにデータを送受する用途に使用する機器である。外部機器２１との接続は、有線はもとより無線や赤外線等の媒体で実現することができる。
【００１０】
一方、送話器９は音声を音声入力信号に変換する。この音声入力信号はデジタル信号に変換された後、ＣＤＭＡ信号変調部５に入力される。また、入力部１２や外部インタフェース１３のインタフェース部１４からのデータ信号の場合は制御部６を介してＣＤＭＡ信号変調部５に入力される。ＣＤＭＡ信号変調部５では入力された音声入力信号あるいはデータ信号に符号変調および拡散処理を施した後、アナログ信号に変換して送信部３に送る。送信部３ではＣＤＭＡ信号変調部５の出力を増幅及び変調した後、アンテナ１より上り信号として送出する。
【００１１】
本実施の形態では、一般的なデジタル携帯電話システムで行われている、受信部２における受信電波の電界強度（ＲＳＳＩ）測定機能と受信信号エラーレート計測機能を用いて、受信電波が弱く下り回線の通話品質が低下するような場合のＲＳＳＩ低下や受信信号のエラーレート増加検出による下り回線通話品質アラーム機能に加え、上り回線の通話品質が低下しているような状況においてアラームを発して携帯電話装置の使用者に上り回線通話品質アラームを送出する機能を有している。
【００１２】
受信部２、送信部３、信号復調部４、信号変調部５、制御部６、受話器８、送話器９、表示部１１、入力部１２は筐体内に格納される。図７に示すように、アンテナ１は筐体から突出して設けられ、受話器８、送話器９、表示部１１、入力部１２は筐体の表面側に設けられる。表示部１１は液晶表示器等により構成され、入力部１２は表示部１１上のカーソル移動や画面のスクロールのための上下左右キー、各種機能を設定あるいは選択するファンクションキー、電話番号あるいはデータ等を入力する番号キーを有している。
【００１３】
図２は、本実施の形態における携帯電話装置の送信電力の変化の例を示す図である。図に示すように携帯電話装置はその出力電力を基地局からの制御信号によって制御する。ＣＤＭＡシステムでは、通話中の携帯電話装置の送信電力は基地局からの電力制御信号によって制御され、ＩＳ−９５のシステムでは毎秒８００回におよぶ細かな制御がなされている。通常の状態では送信電力の制御範囲は携帯電話装置の制御範囲内であるが、受信した信号の強度が予め定められた範囲内であって受信部が下り信号を正常に受信しているにもかかわらず上り回線の通話品質が悪くなると、基地局は上り信号の強度を制御する強度制御信号を下り信号として送信し、制御部６は携帯電話装置の送信出力（Ｐｏ）を増加するように制御する。しかし、携帯電話装置の送信出力（Ｐｏ）はその最大送信出力（Ｐｍａｘ）で制限され、最大送信出力（Ｐｍａｘ）で飽和する。
【００１４】
それでもなお、上り回線通話品質が改善されなければ、基地局は携帯電話装置の送信出力（Ｐｏ）を増加するように強度制御信号を送出し続け、この強度制御信号の指令により携帯電話装置の送信出力（Ｐｏ）は最大送信出力（Ｐｍａｘ）で飽和したままの状態となる。このような場合には、受信した信号の強度は正常な範囲であるので携帯電話装置の使用者は相手の声は聞こえるが、携帯電話装置の使用者の声は相手には聞こえない状態となる。このような状態になると基地局は、ある時間だけ回線を保持するが上り回線通話品質が改善しない場合は回線を切断する。
【００１５】
すなわち、下り回線の信号強度が予め定められた正常な範囲であるにもかかわらず、基地局が携帯電話装置の送信出力（Ｐｏ）を増加するように強度制御信号を送出し続ける場合は上り回線の信号が基地局に届いていないおそれがある。そこで基地局により回線が切断される前に、制御部６は携帯電話装置の送信出力（Ｐｏ）が最大送信出力（Ｐｍａｘ）で飽和している状態がある時間（Ｔｏ）以上継続したならば送信信号が相手に届かない状態であると見なして上り回線通話品質アラームを送出する。これにより携帯電話装置の使用者に回線が切断される可能性があることを知らせることができる。このアラームは、音による警報でもよく、または図７に示すように表示部１１の表示画面上に表示をしてもよい。さらには、音と画面表示の両方を用いてもよい。
【００１６】
音による警報の場合、上り回線通話品質アラームの使用者への通知の方法としては、アラーム音の発生間隔を従来の下り回線通話品質アラームと異なるようにして使用者が区別できるようにする。例えば、所定の周波数（例えば１ｋＨｚ）で所定時間（例えば０．４秒）持続する音（使用者に「ピ」と聞こえる音）の発生間隔を変える。具体的な例としては、下り回線通話品質が低下している場合は音の間隔を長短の繰り返し（例えば１秒と０．２秒の繰り返し）で「ピピ、ピピ、ピピ、ピピ、ピピ、・・・」と聞こえるようにし、上り回線通話品質が低下している場合は音の間隔を長めの一定値（例えば０．６秒）にして「ピ、ピ、ピ、ピ、ピ、・・・」と聞こえるようにし、下り回線と上り回線ともに通話品質が低下している場合は音の間隔を短めの一定値（例えば０．１秒）にして「ピピピピピピピピピピ・・・」と聞こえるようにする。この音は受話器８から発生させてもよく、着信音を鳴らすリンガーやスピーカを鳴らしてもよい。また、音の発生間隔の代わりに異なる周波数の音、異なる音色の音、あるいは異なるリズムまたはメロディを用いてどの回線の通話品質アラームか区別できるようにしてもよい。これにより、通話品質の低下を使用者の聴覚に訴えることができる。また、バイブレータを振動させて、使用者の触覚に訴えてもよい。
【００１７】
また、通話品質の低下を使用者の視覚に訴えることもできる。図７に示すように、通常の音声通話時あるいはデータ通信時に、表示部１１などに「上り回線の通話品質劣化」等のメッセージ３４を表示したり、アンテナの表示３２を点滅させたり、メッセージに代えてマークやアイコンを表示するようにしてもよい。特に、表示部１１にカラー液晶が用いられている場合は、上り回線通話品質劣化時にアンテナ表示３２の色を正常な受信状態の時の色と変えたり（例えば正常受信時は黒、上り回線通話品質劣化時は赤）、表示している文字の色あるいは背景の色を正常な受信状態の時と変えてもよい。また、通話状態では使用されない着信表示用ＬＥＤ３０を点滅させてもよい。ＬＥＤ３０が複数の色で発光できるものである場合は、正常受信時の色と異なる色で連続発光又は点滅させてもよい。通常このＬＥＤ３０は見やすい位置にあるのでアラームとして効果的である。これにより必要に応じて視覚的な上り回線通話品質アラームを発生することもできる。
【００１８】
さらに、携帯電話装置にパーソナルコンピュータあるいはモバイル端末等の外部機器２１が接続されている場合には、その外部機器２１にアラーム信号を送信し、外部機器２１が聴覚的あるいは視覚的アラームを発生するようにしてもよい。こうすれば、回線の通話品質が低下して、スループットが低下していることを使用者が直接に（携帯電話装置を確認することなしに）知ることができる。
【００１９】
図３は本実施の形態における携帯電話装置の上り通話品質アラームの処理を示すフローチャートで、これにより上記の処理の流れを説明する。
最初にこの上り回線通話品質アラーム機能が有効であるかチェックが行われる。この機能が有効であるか無効であるかは、使用者がこの機能を選択して設定することにより決定される。もし、上り回線通話品質アラーム機能が「無効」に設定されていれば、直ちに処理を終了する（ステップ１０１）。
上り回線通話品質アラーム機能が「有効」に設定されていれば、上り回線通話品質アラームのタイマが起動される（ステップ２０１）。
次に、携帯電話装置が通話状態であるかがチェックされる（ステップ２０２）。通話状態でなければ、上り回線通話品質アラームのタイマが停止され処理を終了する（ステップ２０３）。
携帯電話装置が通話状態であれば、その送信出力（Ｐｏ）が測定される（または、送信出力値の設定値を参照する）（ステップ３０１）。そして、送信出力（Ｐｏ）値が最大送信出力（Ｐｍａｘ）未満であるかチェックされる（ステップ３０２）。
現在の送信出力（Ｐｏ）値が最大送信出力（Ｐｍａｘ）未満であれば、上り回線通話品質アラームのタイマがリセットされ、携帯電話装置の状態チェックのステップに戻る（ステップ３０３）。
現在の送信出力（Ｐｏ）値が最大送信出力（Ｐｍａｘ）未満でなければ、上り回線通話品質アラームのタイマが時間経過分更新され（ステップ３１１）、現在の上り回線通話品質アラームのタイマ値（ｔ）が設定値（Ｔｏ）未満であるかのチェックが行われて、上り回線通話品質アラームのタイマ値（ｔ）が設定値（Ｔｏ）未満であれば、携帯電話装置の状態チェックのステップに戻る（ステップ３１２）。
現在の上り回線通話品質アラームのタイマ値（ｔ）が設定値（Ｔｏ）未満でなければ、すなわち設定値（Ｔｏ）以上であれば、規定時間上り回線通話品質アラームが送出されて、携帯電話装置の状態チェックのステップに戻る（ステップ３１３）。
したがって、上り回線通話品質アラームのタイマ設定値（Ｔｏ）以上の時間において、現在の送信出力（Ｐｏ）値が最大送信出力（Ｐｍａｘ）以上であれば、連続して上り回線通話品質アラームが送出されることになる。
図３のフローチャートに示す上記の処理は、制御部６によって実行され、上り回線通話品質アラームは制御部６からＣＤＭＡ信号復調部４を介して受話器８より送出される。
【００２０】
本実施の形態では、現在の送信出力（Ｐｏ）値が最大送信出力（Ｐｍａｘ）以上である状態がタイマ設定値（Ｔｏ）以上続くことでアラームを発生したが、これに限ることはなく、携帯電話装置の送信出力（Ｐｏ）が最大送信出力（Ｐｍａｘ）以上である状態が予め定められた時間率以上の場合に警報を発生するよう構成してもよい。すなわち、ある予め定められた時間内において携帯電話の送信出力（Ｐｏ）が最大送信出力（Ｐｍａｘ）で飽和している時間の割合を求め、この割合が予め定められた値を超えたときに上り回線の通話品質が低下しているものとみなして上り回線通話品質アラームを発するようにしてもよい。これは送信出力（Ｐｏ）が最大送信出力（Ｐｍａｘ）以上である状態がタイマ設定値（Ｔｏ）未満の時間ではあるが、高い頻度で起きる場合のアラーム発生に有効である。
【００２１】
本発明の第２の実施の形態を図４により説明する。本実施の形態は、第１の実施の形態とソフトウェアが異なるがハードウェアの構成は基本的には同一である。本実施の形態では、携帯電話装置の受信部が下り信号を正常に受信しているときに上り信号の強度を最大値とする信号が予め定められた時間以上続けて発生されているか判断が行われる。上り信号の強度を最大値とする信号の時間が予め定められた値を超えるときには上り回線の通話品質が低下しているものとみなされて上り回線通話品質アラームが発生される。
【００２２】
本実施の形態では、ステップ４０１、ステップ４０２以外は図３に記載された処理フローと同様である。すなわち、最初にこの上り回線通話品質アラーム機能が有効であるかチェックされ、上り回線通話品質アラーム機能が「無効」に設定されていれば、直ちに処理を終了する（ステップ１０１）。
上り回線通話品質アラーム機能が「有効」に設定されていれば、上り回線通話品質アラームのタイマを起動する（ステップ２０１）。
次に、携帯電話装置が通話状態であるかのチェックが行われる（ステップ２０２）。通話状態でなければ、上り回線通話品質アラームのタイマが停止され処理を終了する（ステップ２０３）。
携帯電話装置が通話状態であれば、強度制御信号を読み取り（ステップ４０１）、強度制御信号の指令が最大値であるかチェックする（ステップ４０２）。
強度制御信号の指令が最大値であれば、上り回線通話品質アラームのタイマをリセットして、携帯電話装置の状態チェックのステップに戻る（ステップ３０３）。
強度制御信号の指令が最大値でなければ、上り回線通話品質アラームのタイマを時間経過分更新して（ステップ３１１）、現在の上り回線通話品質アラームのタイマ値（ｔ）が設定値（Ｔｏ）未満であるかチェックして、上り回線通話品質アラームのタイマ値（ｔ）が設定値（Ｔｏ）未満であれば、携帯電話装置の状態チェックのステップに戻る（ステップ３１２）。
現在の上り回線通話品質アラームのタイマ値（ｔ）が設定値（Ｔｏ）未満でなければ、すなわち設定値（Ｔｏ）以上であれば、規定時間上り回線通話品質アラームが送出されて、携帯電話装置の状態チェックのステップに戻る（ステップ３１３）。
したがって、上り回線通話品質アラームのタイマ設定値（Ｔｏ）以上の時間において、強度制御信号の指令が最大値であれば、連続して上り回線通話品質アラームが送出される。
【００２３】
本発明の第３の実施の形態を図５により説明する。本実施の形態は、第１の実施の形態とソフトウェアが異なるがハードウェアの構成は基本的には同一である。本実施の形態では、制御部６が交信しうる基地局の数を把握して、交信し得る基地局の数が１箇所であるときに警報を発生する。交信しうる基地局が１つだけの場合には地形的条件等により下り信号は届いても上り信号が基地局に到達しないことがある。そのため、このような場合には上り回線の通話品質低下のおそれありとして上り回線通話品質アラームを発する。
【００２４】
本実施の形態では、ステップ４０１、ステップ４０２以外は図３に記載された処理フローと同様である。すなわち、最初にこの上り回線通話品質アラーム機能が有効であるかチェックが行われ、上り回線通話品質アラーム機能が「無効」に設定されていれば、直ちに処理を終了する（ステップ１０１）。
上り回線通話品質アラーム機能が「有効」に設定されていれば、上り回線通話品質アラームのタイマが起動される（ステップ２０１）。
次に、携帯電話装置が通話状態であるかチェックが行われる（ステップ２０２）。通話状態でなければ、上り回線通話品質アラームのタイマが停止され処理を終了する（ステップ２０３）。
携帯電話装置が通話状態であれば、基地局の数が計数され（ステップ５０１）、基地局の数が２以上あるかチェックが行われる（ステップ５０２）。
基地局の数が２以上あれば、上り回線通話品質アラームのタイマがリセットされて、携帯電話装置の状態チェックのステップに戻る（ステップ３０３）。
基地局の数が１つであれば、上り回線通話品質アラームのタイマを時間経過分更新して（ステップ３１１）、現在の上り回線通話品質アラームのタイマ値（ｔ）が設定値（Ｔｏ）未満であるかチェックして、上り回線通話品質アラームのタイマ値（ｔ）が設定値（Ｔｏ）未満であれば、携帯電話装置の状態チェックのステップに戻る（ステップ３１２）。
現在の上り回線通話品質アラームのタイマ値（ｔ）が設定値（Ｔｏ）未満でなければ、すなわち設定値（Ｔｏ）以上であれば、規定時間上り回線通話品質アラームが送出されて、携帯電話装置の状態チェックのステップに戻る（ステップ３１３）。
したがって、上り回線通話品質アラームのタイマ設定値（Ｔｏ）以上の時間において、基地局の数が１つであれば、連続して上り回線通話品質アラームが送出される。
【００２５】
本発明の第４の実施の形態を図６により説明する。本実施の形態は、基地局と、この基地局と双方向の無線通信が可能であって、基地局からの下り信号に含まれる強度制御信号に基づいて信号の送信強度を制御する制御装置を備えた携帯端末装置とを含む通信システムに関するものである。基地局が上り信号の送信強度を最大送信出力とする指令を含む強度制御信号を送信しても受信した上り信号の強度が予め定められた強度より小さい状態が予め定められた時間以上続いたときに、基地局は上り信号が基地局に届かない状態であると見なす。このとき基地局は回線通話品質が低下したことのアラーム信号を携帯端末装置に送信し、携帯端末装置はこの信号を受けて表示または警報の少なくともいずれか一方を行う。この携帯端末装置は代表的なものとしては携帯電話装置である。
【００２６】
このようなシステムは電気通信事業者（キャリア）が所有する基地局とこのキャリアと契約をした利用者が所有する携帯端末装置により成り立っており、利用者が無線通信を利用することに対し通話料として課金処理が行われる。しかし、下り信号が正常に到達しているにもかかわらず上り信号が上記基地局に届かない状態は通話が成り立たない状態である。本実施の形態においては、このような場合に基地局から端末装置側にアラームを送り、課金処理を停止する。これにより、キャリアは利用者へのサービスを向上させることができ、同業他社に対する競争力を向上させることができる。
【００２７】
以下、図６を用いて処理の流れを説明する。
基地局は最初に携帯端末装置への下り信号が正常であるかチェックを行い（ステップ６０１）、正常でなければ課金処理を終了させるステップ（ステップ６０６）を介して直ちに処理を終了する。
下り信号が正常であれば、携帯端末装置に対する課金処理が開始される（ステップ６０２）。
次に、上り回線通話品質アラームのタイマが起動され（ステップ６０３）、携帯電話装置が通話状態であるかがチェックされる（ステップ６０４）。通話状態でなければ、上り回線通話品質アラームのタイマが停止され（ステップ６０５）、課金処理を終了させて（ステップ６０６）処理を終了する。
携帯電話装置が通話状態であれば、携帯端末装置からの上り信号が測定される（ステップ６０７）。そして、上り信号の強度が正常であるかチェックされる（ステップ６０８）。
上り信号の強度が正常であれば、上り回線通話品質アラームのタイマがリセットされ、携帯電話装置の状態チェックのステップに戻る（ステップ６０９）。
上り信号の強度が正常でなければ、上り回線通話品質アラームのタイマが時間経過分更新され（ステップ６１１）、上り回線通話品質アラームのタイマ値（ｔ）が設定値（Ｔｏ）未満であるかのチェックが行われて、上り回線通話品質アラームのタイマ値（ｔ）が設定値（Ｔｏ）未満であれば、携帯電話装置の状態チェックのステップに戻る（ステップ６１２）。
上り回線通話品質アラームのタイマ値（ｔ）が設定値（Ｔｏ）未満でなければ、すなわち設定値（Ｔｏ）以上であれば、規定時間上り回線通話品質アラームが携帯端末装置へ送出され（ステップ６１３）、課金処理を一時停止させて（ステップ６１４）、上り回線通話品質アラームのタイマ起動のステップ（ステップ６０３）に戻る。
したがって、上り回線通話品質アラームのタイマ設定値（Ｔｏ）以上の時間において、上り信号の強度が正常でなければ、連続して上り回線通話品質アラームが送出されることになる。
以上の実施の形態によれば、上り通話品質アラームを知覚した使用者は使用中の携帯電話の送信信号が基地局に届いていないことを察することができ、アンテナを伸ばしたり、場所を移動したりして通話品質の改善を試みることによって、通話切断を回避することが可能となる。
【００２８】
【発明の効果】
本発明によれば、携帯端末装置の使用者に上り回線通話品質の劣化を速やかに知らせることができ、使用者の利便性に優れた携帯端末装置を得ることができる。
【図面の簡単な説明】
【図１】本発明の第１の実施の形態における携帯電話装置の構成を示すブロック図である。
【図２】本発明の第１の実施の形態における携帯電話装置の送信電力の変化の例を示す図である。
【図３】本発明の第１の実施の形態における携帯電話装置の上り通話品質アラームの処理を示すフローチャートである。
【図４】本発明の第２の実施の形態における携帯電話装置の上り通話品質アラームの処理を示すフローチャートである。
【図５】本発明の第３の実施の形態における携帯電話装置の上り通話品質アラームの処理を示すフローチャートである。
【図６】本発明の第４の実施の形態における通信システムの上り通話品質アラームの処理を示すフローチャートである。
【図７】本発明の第１の実施の形態における携帯電話装置の外観を示す正面図である。
【符号の説明】
１：アンテナ、２：受信部、３：送信部、４：ＣＤＭＡ信号復調部、
５：ＣＤＭＡ信号変調部、６：制御部、７：信号処理部、８：受話器、
９：送話器、１１：表示部、１２：入力部、１３：外部インタフェース、
１４：インタフェース部、２１：外部機器
【図１】
0003562459.tif 000002
【図２】
0003562459.tif 000003
【図３】
0003562459.tif 000004
【図４】
0003562459.tif 000005
【図５】
0003562459.tif 000006
【図６】
0003562459.tif 000007
【図７】
0003562459.tif 000008